(57)【要約】【課題】直定規や三角定規を使って四角形や三角形、平行四辺形などの基本的な図形を描くには、頂角の角度を一定に保ちながら線を１本ずつ引かなければならないため、容易に、かつ迅速に描くことが出来ない。また、テンプレートを使って描く場合には、図形の形と大きさが予め決められているため、描きたい形の図形を任意の大きさで描くことが難しい。【解決手段】４つの直定規の両端部をそれらの対辺の長さが等しくなるようにハトメ等の連結手段で相対回転可能に連結し、隣り合う直定規の内周辺がなす頂角を６０度、９０度などの一定の角度に固定できるようにする。頂角を一定の角度に固定することにより、頂角をはさむ両辺に沿って一筆書きの要領で１回の動作で連続して２本の線が引けるため、一定の角度を持つ図形を任意の大きさで、容易に、かつ迅速に描くことが出来る。【選択図】  図１
2006027246.tif 000002
【特許請求の範囲】
【請求項１】
４つの直定規の両端部をそれらの対辺の長さが等しくなるようにハトメ等の連結手段で相対回転可能に連結し、直定規の両端部を凹凸面にして相互に連結することにより設置面の段差をなくすと共に、凹凸面の垂直面をストッパーとして機能させ、隣り合う直定規の内周辺がなす頂角を６０度、９０度などの一定の角度で固定できるようにした定規。
【発明の詳細な説明】
【技術分野】
【０００１】
本発明は四角形や三角形、平行四辺形などの基本的な図形を描くための定規に関する。
【背景技術】
【０００２】
四角形や三角形、平行四辺形などの基本的な図形を描くための従来の定規には、直定規や三角定規がある。また、図形の形と大きさが予め決められているテンプレートがある。あるいは、ベースプレートに正四角形、正三角形等の決められた形状の穴をあけ、その各辺に寸法を表示したテンプレートがある。
【特許文献１】国際公開Ｗ０９９／２６７９５号
【発明の開示】
【発明が解決しようとする課題】
【０００３】
直定規や三角定規を使って四角形や三角形、平行四辺形などの基本的な図形を描くには、角度を９０度や６０度など一定に保ちながら線を１本ずつ引かなければならないため迅速に描くことができない。また、テンプレートを使って図形を描くには、図形の形と大きさが予め決められているため、描きたい形の図形を任意の大きさで描くことが難しい。描きたい形の図形をいろいろな大きさで描くためには多くのテンプレートが必要であり、求めるテンプレートが存在しない場合もある。
【課題を解決するための手段】
【０００４】
４つの直定規の両端部をそれらの対辺の長さが等しくなるようにハトメ等の連結手段で相対回転可能に連結し、直定規の両端部を凹凸面にして相互に連結し設置面の段差をなくすと共に、凹凸面の垂直面をストッパーとして機能させ、隣り合う直定規の内周辺がなす頂角を６０度、９０度などの一定の角度に固定できるようにする。頂角を一定の角度に固定することにより、頂角をはさむ両辺に沿って一筆書きの要領で１回の動作で連続して２本の線が引けるため、一定の角度を持つ図形を容易に、かつ迅速に描くことが出来る。また、表示されている寸法の範囲内で任意の大きさの図形を描くことが出来る。この場合、頂角の角度により表示寸法のゼロ位置が異なるため、本定規の表と裏に頂角の角度に応じた寸法を表示する必要がある。したがって、固定する角度を６０度と９０度など二つの角度を組み合わせて本定規を製作する。また、角度は３０度、４５度など任意にすることもできる。
【発明の効果】
【０００５】
頂角を固定すれば、その頂角をはさむ両辺に沿って一筆書きの要領で1回の動作で連続して２本の線が引けるため、容易に、かつ迅速にいろいろな図形を描くことが出来る。また、表示されている寸法の範囲内で任意の大きさの図形を描くことが出来る。たとえば、頂角を９０度に固定すれば、正方形と長方形を任意の大きさで、容易に、かつ迅速に描くことが出来る。また、一つの頂角を６０度に固定すれば、直角三角形、正三角形、および標準的なひし形、平行四辺形、台形などを任意の大きさで、容易に、かつ迅速に描くことができる。
【０００６】
すなわち、頂角を６０度と９０度に固定できるように本定規を製作すると、一つの定規で正方形、長方形、直角三角形、正三角形、および標準的なひし形、平行四辺形、台形の全部で７つの図形を任意の大きさで、容易に、かつ迅速に描くことが出来る。
【発明を実施するための最良の形態】
【０００７】
本発明を実施するための最良の形態を実施例に基づき図面を参照して説明する。図１に示すように、4つの直定規１、２、３、4の両端部をそれらの対辺の長さが等しくなるようにハトメ５等で相対回転可能に連結し、頂角α１、α４を６０度で固定できるようにし、頂角α２、α３を90度で固定できるようにする。図１は頂角α２、α３を９０度で固定した状態を示している。頂角α1、α４を60度に変化させた場合、図２のように表示寸法のゼロ位置がずれてしまう。そこで、図3に示すように本定規の裏側に頂角α1、α４を６０度に変化させた場合に応じた寸法を表示する。図３は図１の頂角α1、α４を６０度に変化させて定規を裏返した場合の図であり、寸法のゼロ位置を合わせて表示してある。これにより、一つの定規で正方形、長方形の他、直角三角形、正三角形、標準的なひし形、平行四辺形、台形などの7つの図形を容易に、かつ迅速に描くことができる。
【０００８】
図１の定規を用いて任意の大きさの正方形又は長方形を描くには、まず、頂角α２（又はα３）の両辺に沿って任意の長さで２本の線を引く。次に、定規全体をずらし、引いた線と頂角α３（又はα２）の両辺とで出来る形が正方形または長方形になるように定規の位置を決め同様に２本の線を引く。
【０００９】
図３の定規を用いて任意の大きさの直角三角形を描くには、まず、頂角α４（又はα１）の両辺に沿って直角三角形の斜線と底辺の長さが２対１になるように２本の線を引く。次に、定規全体をずらし任意の辺を用いて残りの線を引く。
【００１０】
図３の定規を用いて任意の大きさの正三角形を描くには、まず、頂角α４（又はα１）の両辺に沿って任意の同じ長さで２本の線を引く。次に、定規全体をずらし任意の辺を用いて残りの線を引く。
【００１１】
図３の定規を用いて任意の大きさのひし形又は平行四辺形を描くには、まず、頂角α４（又はα１）の両辺に沿って、任意の長さで２本の線を引く。次に、定規全体をずらし、引いた線と頂角α１（又はα４）の両辺とで出来る形がひし形又は平行四辺形になるように定規の位置を決めて２本の線を引く。
【００１２】
図３の定規を用いて任意の大きさの台形を描くには、まず、頂角α４（又はα１）の両辺に沿って任意の長さで２本の線を引く。次に、定規全体を右に回転させながらずらし、引いた線と頂角α３（又はα２）の両辺とで出来る形が台形になるように定規の位置を決めて２本の線を引く。
【００１３】
4つの直定規の両端部を相対回転可能に連結する方法としては、ハトメの他、ねじ、ボルト・ナット、軸と止め輪の組み合わせ、軸とピンの組み合わせなどの方法が考えられる。
【００１４】
本定規は図４に示すような構造で製作することもできる。図４のような構造にした場合には、図１の場合と比較すると強度的に弱くなる。
【００１５】
本定規は定規を製作する場合に通常使用する竹、木、プラスチック、アルミ、鉄鋼などの材料で製作可能である。
【００１６】
本定規は任意の大きさで製作可能である。４つの直定規の幅や長さを任意にすることが出来る。ただし、対辺の長さが等しくなるようにする必要がある。
【００１７】
本定規の使用例としては、（１）児童生徒、学生が基本的な図形やグラフなどを描く際に、あるいは木工工作などの際に使用する、（２）事務所等で文字の囲み線や流れ図（フローチャート）などを描く際に使用する、（３）工場現場でケガキ針等を用いて基本的な図形などを描く際に使用する、などが考えられる。
【図面の簡単な説明】
【００１８】
【図１】実施例の定規を示し、（ａ）は平面図、（ｂ）は側面図、（ｃ）は正面図である。
【図２】図1の頂角α１を相対回転させて60度に変化させた場合の平面図である。
【図３】図２の定規を裏返した場合の平面図である。
【図４】他の実施例を示し、（ａ）は平面図、（ｂ）は側面図、（ｃ）は正面図である。
【符号の説明】
【００１９】
１、２、３、４          直定規
５                      ハトメ
α１、α２、α３、α４  頂角
【図１】
2006027246.tif 000003
【図２】
2006027246.tif 000004
【図３】
2006027246.tif 000005
【図４】
2006027246.tif 000006